【手続補正書】
【提出日】令和2年6月10日(2020.6.10)
【手続補正１】
【補正対象書類名】明細書
【補正対象項目名】０００７
【補正方法】変更
【補正の内容】
【０００７】
上記の課題を解決するため、本発明の排水ポンプの取付構造は、排水ポンプと、該排水ポンプを被取付体としての天井板に取付ける少なくとも１つの取付手段とを備え、該排水ポンプを前記天井板の下側に配置する排水ポンプの取付構造であって、前記排水ポンプは、回転羽根と、該回転羽根を収容するハウジングと、該ハウジングの上部に取付けられたカバーと、該カバーに収容され、前記回転羽根を回転させるモータと、を有し、前記取付手段は取付部材を備え、前記取付部材は下向き面が形成された先端部を上端側に有し、前記取付部材の前記先端部は前記天井板に設けられた貫通孔に挿通されるとともに前記下向き面が前記貫通孔の上側の縁部に引っ掛かっており、前記排水ポンプは、前記取付部材によって、前記カバーが前記天井板と間隔を空けて該天井板に移動の自由度をもってぶら下がるように取付けられることを特徴とする。
【手続補正２】
【補正対象書類名】明細書
【補正対象項目名】０００８
【補正方法】変更
【補正の内容】
【０００８】
本発明において、前記排水ポンプは、前記取付部材によって、前記天井板に垂下されるように取付けられることが好ましい。
【手続補正３】
【補正対象書類名】明細書
【補正対象項目名】０００９
【補正方法】変更
【補正の内容】
【０００９】
本発明において、前記排水ポンプは、前記取付部材によって、前記天井板に自重により垂下されるように取付けられることが好ましい。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明において、前記取付部材の前記先端部は、外側に膨らむ幅広部を有し、前記天井板の貫通孔は、前記取付部材の前記先端部が挿通可能な形状を有する挿通部と、前記挿通部に連なり前記幅広部の幅より小さい幅を有するスリット部と、を有していることが好ましい。
【手続補正７】
【補正対象書類名】明細書
【補正対象項目名】００１３
【補正方法】変更
【補正の内容】
【００１３】
本発明において、前記取付部材の前記先端部は、外側に膨らむ幅広部を有するとともに、複数の弾性片を構成するようにスリットが形成され、前記複数の弾性片は、前記先端部の中心側に弾性変形された状態で前記天井板の貫通孔に挿入されることが好ましい。
本発明において、前記取付部材は、前記カバーと別体であり、前記排水ポンプは、前記取付部材の下端側の基端部が前記カバーに係止されることにより、該天井板に取付けられることが好ましい。
【手続補正８】
【補正対象書類名】明細書
【補正対象項目名】００１４
【補正方法】変更
【補正の内容】
【００１４】
本発明において、前記取付部材の前記基端部は、前記カバーに設けられた貫通孔に挿通されるとともに、該貫通孔の下側の縁部に引っ掛かることが好ましい。
【手続補正９】
【補正対象書類名】明細書
【補正対象項目名】００１５
【補正方法】変更
【補正の内容】
【００１５】
本発明において、前記取付部材の前記基端部は、外側に膨らむ幅広部を有するとともに、複数の弾性片を構成するようにスリットが形成され、前記複数の弾性片は、前記基端部の中心側に弾性変形された状態で前記カバーの貫通孔に挿入されることが好ましい。
【手続補正１０】
【補正対象書類名】明細書
【補正対象項目名】００１６
【補正方法】変更
【補正の内容】
【００１６】
本発明において、前記取付部材は、前記カバーと一体に設けられることが好ましい。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
本発明において、前記取付部材は、前記天井板および前記カバーの少なくとも一方より曲げ弾性率が小さいことが好ましい。
【手続補正１５】
【補正対象書類名】明細書
【補正対象項目名】００２１
【補正方法】変更
【補正の内容】
【００２１】
本発明によれば、排水ポンプは、取付部材によって、カバーが天井板と間隔を空けて該天井板に取付けられる。このようにしたことから、排水ポンプのカバーが天井板と接触しないので、カバーから天井板に直接的に振動が伝搬することを回避できる。そのため、排水ポンプが取付けられる天井板へのモータの振動の伝搬を抑制することができ、動作時の静粛性を図ることができる。
【手続補正１６】
【補正対象書類名】特許請求の範囲
【補正対象項目名】全文
【補正方法】変更
【補正の内容】
【特許請求の範囲】
【請求項１】
排水ポンプと、該排水ポンプを被取付体としての天井板に取付ける少なくとも１つの取付手段とを備え、該排水ポンプを前記天井板の下側に配置する排水ポンプの取付構造であって、
前記排水ポンプは、回転羽根と、該回転羽根を収容するハウジングと、該ハウジングの上部に取付けられたカバーと、該カバーに収容され、前記回転羽根を回転させるモータと、を有し、
前記取付手段は取付部材を備え、
前記取付部材は下向き面が形成された先端部を上端側に有し、
前記取付部材の前記先端部は前記天井板に設けられた貫通孔に挿通されるとともに前記下向き面が前記貫通孔の上側の縁部に引っ掛かっており、
前記排水ポンプは、前記取付部材によって、前記カバーが前記天井板と間隔を空けて該天井板に移動の自由度をもってぶら下がるように取付けられることを特徴とする排水ポンプの取付構造。
【請求項２】
前記排水ポンプは、前記取付部材によって、前記天井板に垂下されるように取付けられることを特徴とする請求項１に記載の排水ポンプの取付構造。
【請求項３】
前記排水ポンプは、前記取付部材によって、前記天井板に自重により垂下されるように取付けられることを特徴とする請求項２に記載の排水ポンプの取付構造。
【請求項４】
前記取付部材の前記先端部は、外側に膨らむ幅広部を有し、
前記天井板の貫通孔は、前記取付部材の前記先端部が挿通可能な形状を有する挿通部と、前記挿通部に連なり前記幅広部の幅より小さい幅を有するスリット部と、を有していることを特徴とする請求項１〜請求項３のいずれか一項に記載の排水ポンプの取付構造。
【請求項５】
前記取付部材の前記先端部は、外側に膨らむ幅広部を有するとともに、複数の弾性片を構成するようにスリットが形成され、
前記複数の弾性片は、前記先端部の中心側に弾性変形された状態で前記天井板の貫通孔に挿入されることを特徴とする請求項１〜請求項４のいずれか一項に記載の排水ポンプの取付構造。
【請求項６】
前記取付部材は、前記カバーと別体であり、
前記排水ポンプは、前記取付部材の下端側の基端部が前記カバーに係止されることにより、該天井板に取付けられることを特徴とする請求項１〜請求項５のいずれか一項に記載の排水ポンプの取付構造。
【請求項７】
前記取付部材の前記基端部は、前記カバーに設けられた貫通孔に挿通されるとともに、該貫通孔の下側の縁部に引っ掛かることを特徴とする請求項６に記載の排水ポンプの取付構造。
【請求項８】
前記取付部材の前記基端部は、外側に膨らむ幅広部を有するとともに、複数の弾性片を構成するようにスリットが形成され、
前記複数の弾性片は、前記基端部の中心側に弾性変形された状態で前記カバーの貫通孔に挿入されることを特徴とする請求項７に記載の排水ポンプの取付構造。
【請求項９】
前記取付部材は、前記カバーと一体に設けられることを特徴とする請求項１〜請求項５のいずれか一項に記載の排水ポンプの取付構造。
【請求項１０】
前記取付部材は、前記天井板および前記カバーの少なくとも一方より曲げ弾性率が小さいことを特徴とする請求項１〜請求項９のいずれか一項に記載の排水ポンプの取付構造。